(57)【要約】【課題】吐出対象流体を入れる袋を安価にできる流体吐出装置を提供する。【解決手段】ケース１０内に、隔壁１１により２つの収納室１２，１３が区画され、収納室１２に吐出対象流体が入れられて膨らんだ袋１とエアバッグ４とがエアバッグ４を隔壁１１側として隔壁１１の厚み方向に並んで収納され、収納室１３にエアポンプ６が収納される。収納室１２には、袋１とエアバッグ４との間に挟まる可動部材８も収納される。可動部材８は、ケース１０において隔壁１１に隣り合い互いに対向する２つの固定面１０ａ，１０ｂそれぞれに固着された固定レール９，９により、隔壁１１の厚み方向へ移動自在に保持される。袋１にチューブ２を介して接続されたバルブ３を開くと、エアポンプ６からチューブ５を通して空気が送り込まれエアバッグ４が膨らみ、可動部材８にて袋１が押圧されて吐出対象流体がホース２とバルブ３とで構成される吐出口から吐出される。【選択図】　　　図１
2004116367.tif 000002
【特許請求の範囲】
【請求項１】
吐出対象流体が入れられて膨らんだ袋と、袋が収納されたケースと、袋の流体取出口に着脱自在に取り付けられて袋に連通しケース外に突出する吐出口と、ケース内において袋と並ぶ形で収納されたエアバッグと、ケース内に収納されエアバッグへ空気を送り込むポンプとを備え、エアバッグが膨らんで袋を押圧することで袋内の吐出対象流体を吐出口から吐出させることを特徴とする流体吐出装置。
【請求項２】
前記ケース内で前記袋と前記エアバッグとの間に介在し前記袋と前記エアバッグとの並び方向に移動自在となるように前記ケースに保持された可動部材を備え、前記エアバッグは可動部材を介して前記袋を押圧することを特徴とする請求項１記載の流体吐出装置。
【請求項３】
前記吐出口は、一端部が前記袋の前記流体取出口に着脱自在に取り付けられたホースと、ホースの他端部が流入口に取り付けられ流出口およびハンドルが前記ケース外に突出したバルブとからなることを特徴とする請求項１または請求項２記載の流体吐出装置。
【請求項４】
前記バルブの開閉を検知するスイッチと、スイッチにより前記バルブが開かれたことを検知したときに前記ポンプを作動させる制御手段とを備えてなることを特徴とする請求項３記載の流体吐出装置。
【発明の詳細な説明】
【０００１】
【発明の属する技術分野】
本発明は、袋に入れられた吐出対象流体を吐出させる流体吐出装置に関するものである。
【０００２】
【従来の技術】
従来から袋に入れられた吐出対象流体を吐出させる流体吐出装置として、吐出対象流体が入れられた流体収納室と、流体収納室に入れられた吐出対象流体を加圧するための空気が送り込まれる加圧室とが隔壁により仕切られた袋を利用したものが提案されている（例えば、特許文献１）。ここにおいて、特許文献１に記載の流体吐出装置に用いる袋は、流体収納室の吐出対象流体を取り出すための流体取出口と加圧室へ空気を送り込むための加圧口とが設けられている。
【０００３】
この種の袋を採用した液体吐出装置では、ダイヤフラムポンプなどの流体ポンプにより吐出対象流体を直接吐出させる流体吐出装置に比べて脈動の少ない安定した吐出対象流体の吐出が可能になる（脈動により吐出対象流体が飛散するのを防止することができる）という利点がある。また、雑菌を含んだ空気が袋内の吐出対象流体に直接触れないので、吐出対象流体が入れられた容器内へ空気を送りこんで容器から吐出対象流体を吐出させる流体吐出装置に比べて、吐出対象流体が雑菌により汚染されるのを防止することができるという利点がある。更に、吐出対象流体が高粘度の流体である場合、吐出対象流体が入れられた袋を、ギヤードモータを駆動源として移動される平板により押圧することで吐出対象流体を吐出させる流体吐出装置に比べて、低消費電力化および低騒音化を図れるという利点がある。
【０００４】
【特許文献１】
特開２０００−４２０８８号公報（第２頁−第３頁、図２および図３）
【０００５】
【発明が解決しようとする課題】
上記特許文献１に記載の流体吐出装置では、内部が２室に仕切られた構造の袋が必要であり、袋の構造が複雑なので、袋が比較的高価になる。また、袋には取出口および加圧口が設けられているので、袋の交換作業が面倒である。
【０００６】
本発明は上記事由に鑑みて為されたものであり、その目的は、吐出対象流体を入れる袋を安価にできる流体吐出装置を提供することにある。
【０００７】
【課題を解決するための手段】
請求項１の発明は、上記目的を達成するために、吐出対象流体が入れられて膨らんだ袋と、袋が収納されたケースと、袋の流体取出口に着脱自在に取り付けられて袋に連通しケース外に突出する吐出口と、ケース内において袋と並ぶ形で収納されたエアバッグと、ケース内に収納されエアバッグへ空気を送り込むポンプとを備え、エアバッグが膨らんで袋を押圧することで袋内の吐出対象流体を吐出口から吐出させることを特徴とするものであり、エアバッグが膨らんで袋を押圧することで袋から吐出対象流体を吐出させるので、吐出対象流体を入れる袋の内部を従来のように２室に仕切る必要がなく、袋の構造が簡単になり袋を安価にでき、しかも、袋の交換作業の際には流体取出口から吐出口を取り外せばよいから、従来のように流体取出口と加圧口とが設けられた袋を用いている場合に比べて袋の交換作業が容易になる。
【０００８】
請求項２の発明は、請求項１の発明において、前記ケース内で前記袋と前記エアバッグとの間に介在し前記袋と前記エアバッグとの並び方向に移動自在となるように前記ケースに保持された可動部材を備え、前記エアバッグは可動部材を介して前記袋を押圧するので、前記袋を安定して押圧することができ、前記吐出対象流体を吐出させる際の脈動をより少なくすることができる。
【０００９】
請求項３の発明は、請求項１または請求項２の発明において、前記吐出口は、一端部が前記袋の前記流体取出口に着脱自在に取り付けられたホースと、ホースの他端部が流入口に取り付けられ流出口およびハンドルが前記ケース外に突出したバルブとからなるので、バルブを閉じておくことにより前記吐出対象流体が漏れるのを防止することができる。
【００１０】
請求項４の発明は、請求項３の発明において、前記バルブの開閉を検知するスイッチと、スイッチにより前記バルブが開かれたことを検知したときに前記ポンプを作動させる制御手段とを備えてなるので、前記ハンドルを操作して前記バルブを開くことにより前記吐出対象流体を前記吐出口から吐出させることができ、使い勝手が良い。
【００１１】
【発明の実施の形態】
以下に説明する本実施形態の流体吐出装置は、例えばシャンプー、リンス、トリートメントなどの液体を吐出対象流体として、吐出対象流体を販売するために別の容器に小分けする用途に使用することができるが、他の用途に使用してもよいことは勿論である。
【００１２】
本実施形態の流体吐出装置は、図１〜図３に示すように、吐出対象流体（液体）Ｆが入れられて膨らんだ袋１と、袋１が収納されたケース１０と、ケース１０内において袋１と並ぶ形で収納されたエアバッグ４と、ケース１０内に収納されエアバッグ４に接続されたチューブ５を通してエアバッグ４へ空気を送り込むポンプであるエアポンプ６と、袋１の流体取出口１ｂにホース２を介して流入口３ｃが接続されたバルブ３とを備えている。ここに、バルブ３は、本体３ａおよび流入口３ｃがケース１０内に収納され、流出口３ｄおよびハンドル３ｂがケース１０外へ突出する形で配設されている。なお、本実施形態では、ホース２とバルブ３とで、袋１の流体取出口ｂに着脱自在に取り付けられて袋１に連通しケース１０外に突出する吐出口を構成している。
【００１３】
ケース１０内には、エアポンプ６へ電源を供給する電源回路の回路部品が実装された回路基板２１も収納されている。なお、上記電源回路は、コンセントを介して供給される商用電源を整流平滑してエアポンプ６へ給電するように構成してもよいし、乾電池などを電源としてエアポンプ６へ給電するように構成してもよい。
【００１４】
また、本実施形態の流体吐出装置では、バルブ３の開閉を検知するスイッチとしてマイクロスイッチ７が固定ねじ７１（図３（ａ）参照）を用いてバルブ３の本体３ａに固着されており、バルブ３を閉じた図３の状態（流入口３ｃと吐出口３ｄとの間がロータリ弁３１によって遮断されている状態）では、図４（ａ）に示すように、マイクロスイッチ７のレバー７ｂの先端部に設けられたローラ７ｃが、ハンドル３ｂと同軸上に結合されたロータリ弁３１のカム部３１ｂの切欠部３１ｃに収まっている。これに対して、ハンドル３ｂを図３（ｂ）の矢印Ｂの向きに回動させると、ロータリ弁３１が回動してバルブ３が開く（流入口３ｃと吐出口３ｄとはロータリ弁３１の流通孔３１ａを通して連通する）とともに、図４（ｂ）に示すようにマイクロスイッチ７のレバー７ｂのローラ７ｃがカム部３１ｂの外周面に乗り上げてレバー７ｂがオン操作される。一方、バルブ３を開いた状態からハンドル３ｂを上記矢印Ｂと逆向きに回動させると、バルブ３が閉じるとともに、マイクロスイッチ７の上記ローラ７ｃが図４（ａ）に示すようにカム部３１ｂの切欠部３１ｃに落ち込んでマイクロスイッチ７がオフする。
【００１５】
ここに、本実施形態の流体吐出装置では、マイクロスイッチ７が上記電源回路に設けられたマイクロコンピュータからなる制御回路（図示せず）に接続されており、マイクロスイッチ７がオンすると、上記制御回路へ入力信号が入力され、上記制御回路からエアポンプ６の駆動回路（図示せず）を作動させる制御信号が出力されて、エアポンプ６へ電源が供給されるようになっている。そして、マイクロスイッチ７がオフすると、上記制御回路への入力信号がなくなり、上記制御回路が上記駆動回路を停止させることでエアポンプ６への電源供給が停止されるようになっている。ただし、上記制御回路は、上記入力信号を受けて駆動回路を作動させることでエアポンプ６への電源供給を開始させてから、一定時間後にエアポンプ６への電源供給を停止させるように構成してもよい。なお、本実施形態では、マイクロスイッチ７がバルブ３の開閉を検知するスイッチを構成し、上記制御回路が、スイッチによりバルブ３が開かれたことを検知したときにエアポンプ６を作動させる制御手段を構成している。
【００１６】
ところで、ケース１０内には、隔壁１１により広さが互いに異なる２つの収納室１２，１３が区画されており、広い収納室１２に袋１とエアバッグ４とがエアバッグ４を隔壁１１側として隔壁１１の厚み方向に並んで収納され、狭い収納室１３にエアポンプ６や回路基板２１が収納されている。なお、エアポンプ６に一端部が接続されたチューブ５は隔壁１１に形成されている挿通孔１１ａを通して他端部がエアバッグ４に接続されている。
【００１７】
また、ケース１０における広い収納室１２には、袋１とエアバッグ４との間に挟まる可動部材８も収納されている。可動部材８は、ケース１０において隔壁１１に隣り合い互いに対向する２つの固定面１０ａ，１０ａそれぞれに固着された固定レール（スライドレール）９，９により、隔壁１１の厚み方向へ移動自在に保持されている。ここにおいて、可動部材８は、隔壁１１と平行になる形で収納される平板状の押圧板８ａと、押圧板８ａの外周縁から全周に亘って隔壁１１側へ延設された取付枠８ｂとが連続一体に形成されており、取付枠８ｂにおける左右一対の側枠８ｃ，８ｃには、図５に示すように固定レール９に摺動自在（スライド自在）に保持されるスライダ２３が取付枠８ｂの内側から挿通される固定ねじ２４，２４を用いて固着されている。なお、本実施形態では、固定レール９を側枠８ｃ側が開放された断面コ字状の形状に形成してケース１０に固着してあるが、図６に示すように、側枠８ｃに取付枠８ｂの外側から螺合される固定ねじ２４’を用いてスライダ２３’を固着し、スライダ２３’を移動自在に保持するガイド部１９をケース１０に一体に設けるようにしてもよい。
【００１８】
上述の説明から分かるように、エアバッグ４は隔壁１１と押圧板８ａとの間に挟まり、袋１はケース１０において隔壁１１に対向する外壁１５と押圧板８ａとの間に挟まることになる。
【００１９】
以下、本実施形態の流体吐出装置の動作について説明する。
【００２０】
いま、バルブ３が閉じており図７（ａ）に示すように可動部材８が隔壁１１１の近傍に位置しているような状態で、ハンドル３ｂを操作してバルブ３を開くと、上述のようにエアポンプ６が作動してエアバッグ４へ空気が送り込まれるので、エアバッグ４が徐々に膨らむが、エアバッグ４は隔壁１１と可動部材８との間に挟まっているので、可動部材８が図７（ｂ）に示すように袋１側へ移動する。その結果、袋１が可動部材８を介してエアバッグ４により押圧されることになり、袋１内の吐出対象流体Ｆがホース２を通してバルブ３の流出口３ｄから外部へ吐出される。
【００２１】
しかして、本実施形態の流体吐出装置では、エアバッグ４が膨らんで袋１を押圧することで袋１から吐出対象流体Ｆを吐出させるので、吐出対象流体Ｆを入れる袋１の内部を従来のように２室に仕切る必要がなく、袋１の構造が簡単になり袋１を安価にできる。しかも、袋１の交換作業の際には流体取出口１ｂから上記吐出口の一部を構成するホース２の一端部を取り外せばよいから、従来のように流体取出口と加圧口とが設けられた袋を用いている場合に比べて袋の交換作業が容易になる。また、エアバッグ４が可動部材８を介して袋１を押圧するので、袋１を安定して押圧することができ、吐出対象流体Ｆを吐出させる際の脈動をより少なくすることができる。また、バルブ３を閉じておくことにより吐出対象流体Ｆが漏れるのを防止することができ、バルブ３のハンドル３ｂを操作してバルブ３を開くことにより吐出対象流体Ｆを流出口３ｄから吐出させることができ、使い勝手が良い。
【００２２】
なお、本実施形態の流体吐出装置においても、ダイヤフラムポンプなどの流体ポンプにより吐出対象流体を直接吐出させる流体吐出装置に比べて脈動の少ない安定した吐出対象流体の吐出が可能になる（脈動により吐出対象流体が飛散するのを防止することができる）という利点や、ホース２を袋１の流体取出口１ｂに取り付けた後は雑菌を含んだ空気が袋内の吐出対象流体に直接触れないので、吐出対象流体が入れられた容器内へ空気を送りこんで容器から吐出対象流体を吐出させる流体吐出装置に比べて、吐出対象流体が雑菌により汚染されるのを防止することができるという利点や、吐出対象流体が高粘度の流体である場合、吐出対象流体が入れられた袋を、ギヤードモータを駆動源として移動される平板により押圧することで吐出対象流体を吐出させる流体吐出装置に比べて、低消費電力化および低騒音化を図れるという利点がある。
【００２３】
ところで、エアバッグ４の容積を大きくとることにより小さな圧力でも大きな押圧力が得られるので、消費電力や騒音を抑えつつも、高粘度の吐出対象流体Ｆを吐出することが可能となる。また、エアバッグ４を介しているので、袋１に局所的な力がかかることがなく、袋１の破損の恐れを少なくすることができ、袋１内の吐出対象流体Ｆの残量を少なくすることが可能となる。
【００２４】
なお、本実施形態の流体吐出装置では、上述のようにホース２を袋１の流体取出口１ｂに取り付けた後は雑菌を含んだ空気が袋内の吐出対象流体Ｆに直接触れないので、吐出対象流体Ｆが袋１に入れられた初期の状態で滅菌しておけば、防腐剤を添加せずとも腐りにくいから、吐出対象流体Ｆとして、上述のシャンプー、リンス、トリートメントなどの他に、例えば、ソース、ケチャップ、マヨネーズなどの食品や、化粧水、乳液などを採用することも可能である。
【００２５】
また、上記実施形態では、エアバッグ４が可動部材８を介して袋１を押圧する構成を採用しているが、図８に示すようにエアバッグ４により袋１を直接押圧する構成を採用してもよく、図８に示す構成を採用すれば、部品点数を削減でき低コスト化を図れる。ただし、エアバッグ４が可動部材８を介して袋１を押圧するような構成としたほうが、袋１を安定して押圧することができ、吐出対象流体Ｆを吐出させる際の脈動をより少なくすることができる。
【００２６】
【発明の効果】
請求項１の発明は、吐出対象流体が入れられて膨らんだ袋と、袋が収納されたケースと、袋の流体取出口に着脱自在に取り付けられて袋に連通しケース外に突出する吐出口と、ケース内において袋と並ぶ形で収納されたエアバッグと、ケース内に収納されエアバッグへ空気を送り込むポンプとを備え、エアバッグが膨らんで袋を押圧することで袋内の吐出対象流体を吐出口から吐出させるものであり、エアバッグが膨らんで袋を押圧することで袋から吐出対象流体を吐出させるので、吐出対象流体を入れる袋の内部を従来のように２室に仕切る必要がなく、袋の構造が簡単になり袋を安価にできるという効果があり、しかも、袋の交換作業の際には流体取出口から吐出口を取り外せばよいから、従来のように流体取出口と加圧口とが設けられた袋を用いている場合に比べて袋の交換作業が容易になるという効果がある。
【００２７】
請求項２の発明は、請求項１の発明において、前記ケース内で前記袋と前記エアバッグとの間に介在し前記袋と前記エアバッグとの並び方向に移動自在となるように前記ケースに保持された可動部材を備え、前記エアバッグは可動部材を介して前記袋を押圧するので、前記袋を安定して押圧することができ、前記吐出対象流体を吐出させる際の脈動をより少なくすることができるという効果がある。
【００２８】
請求項３の発明は、請求項１または請求項２の発明において、前記吐出口は、一端部が前記袋の前記流体取出口に着脱自在に取り付けられたホースと、ホースの他端部が流入口に取り付けられ流出口およびハンドルが前記ケース外に突出したバルブとからなるので、バルブを閉じておくことにより前記吐出対象流体が漏れるのを防止することができるという効果がある。
【００２９】
請求項４の発明は、請求項３の発明において、前記バルブの開閉を検知するスイッチと、スイッチにより前記バルブが開かれたことを検知したときに前記ポンプを作動させる制御手段とを備えてなるので、前記ハンドルを操作して前記バルブを開くことにより前記吐出対象流体を前記吐出口から吐出させることができ、使い勝手が良いという効果がある。
【図面の簡単な説明】
【図１】実施形態１を示す横断面図である。
【図２】同上を示す縦断面図である。
【図３】同上を示し、（ａ）は要部断面図、（ｂ）は要部側面図である。
【図４】同上の動作説明図である。
【図５】同上の要部断面図である。
【図６】同上の他の構成例の要部断面図である。
【図７】同上の動作説明図である。
【図８】同上の別の構成例を示す側断面図である。
【符号の説明】
１　袋
１ｂ　流体取出口
２　ホース
３　バルブ
３ａ　本体
３ｂ　ハンドル
３ｃ　流入口
３ｄ　流出口
４　エアバッグ
５　チューブ
６　エアポンプ
７　マイクロスイッチ
８　可動部材
８ａ　押圧板
９　固定レール
１０　ケース
１０ａ　固定面
１１　隔壁
１２　収納室
１３　収納室
１５　外壁
２３　スライダ
Ｆ　吐出対象流体
【図１】
2004116367.tif 000003
【図２】
2004116367.tif 000004
【図３】
2004116367.tif 000005
【図４】
2004116367.tif 000006
【図５】
2004116367.tif 000007
【図６】
2004116367.tif 000008
【図７】
2004116367.tif 000009
【図８】
2004116367.tif 000010